(57)【特許請求の範囲】
【請求項１】
医療画像と、該医療画像に関連する音声情報および該医療画像に関連する文字情報のうちの少なくともいずれかの医療情報とを関連付けて記録可能な記録手段と、
前記記録手段を有する施設とは異なる第１の外部医療関連施設に設けられ、医療関連施設間で医療情報の伝達を行うために、伝送先となる第２の外部医療関連施設とこの第２の外部医療関連施設に伝送する医療情報とを選択する選択手段と、
前記医療関連施設間で情報の伝達が可能な通信網を介して、前記選択手段により選択された前記医療情報を前記選択手段により選択された前記第２の外部医療関連施設に転送する医療情報として前記記録手段に伝送する伝送手段と、
前記第２の外部医療関連施設に設けられ、前記通信網を介して、前記記録手段に記録された前記医療情報の中からこの第２の外部医療関連施設が取り込み可能な医療情報として告知された医療情報の中から所望の医療情報を指定して取り込む取り込み手段と、
を備えたことを特徴とする医療画像情報伝送システム。
【請求項２】
医療関連施設間で医療情報の伝達を行うために、伝送先外部医療関連施設と伝送する医療情報とを選択する選択ステップと、
前記医療関連施設間で情報の伝達が可能な通信網を介して、前記選択ステップで選択された前記医療情報を前記伝送先外部医療関連施設に転送する医療情報として伝送する伝送ステップと、
前記伝送ステップで伝送されてきた前記医療情報のうち、医療画像と、該医療画像に関連する音声情報および該医療画像に関連する文字情報のうちの少なくともいずれかの医療情報とを前記医療画像に関連付けて前記伝送先外部医療関連施設が閲覧可能な医療情報として記録手段に記録する記録ステップと、
前記伝送先外部医療関連施設において、前記通信網を介して、前記記録手段に記録された医療情報の中からこの伝送先外部医療関連施設が閲覧可能な医療情報として前記記録ステップで前記記録手段に記録された前記医療情報を指定して取り込む取り込みステップと、
を備えたことを特徴とする医療画像情報伝送方法。
【請求項３】
外部医療関連施設よりの医療情報を、医療関連施設間で情報の伝達が可能な通信網を介して取得する取得ステップと、
前記取得ステップで取得された医療情報のうち、医療画像と、該医療画像に関連する音声情報および該医療画像に関連する文字情報のうちの少なくともいずれかの医療情報とを関連付けた医療情報として記録手段に記録する記録ステップと、
前記記録ステップで前記記録手段に記録された医療データのうち特定の外部医療関連施設が閲覧可能な医療情報を、前記通信網を介し、該特定の外部医療関連施設の要求に応じて告知するとともに、該特定の外部医療関連施設よりの指示に応じて転送する転送ステップと、
を備えたことを特徴とする医療画像情報伝送方法。
【請求項４】
前記転送ステップにおいて、更に、
前記指示に応じて該当する医療情報を前記特定の外部医療関連施設に転送する際に、この医療情報として関連付けられている医療情報が、医療画像であるか、音声情報であるか文字情報であるかを示す情報を伝送し、該特定の外部医療関連施設よりの、前記医療情報のうちのいずれかを特定する指示に応じ、指示された医療情報を前記特定の外部医療関連施設に転送することを特徴とする請求項３記載の医療画像情報伝送方法。
【発明の詳細な説明】
【０００１】
【発明の属する技術分野】
本発明は、医療情報の活用に際し、個別に活用されていた画像、文字、音声等の情報を統合することによって、医療情報の有効活用を図る医療画像情報伝送方法に関する。
【０００２】
【従来の技術】
情報のデジタル化により、画像情報を劣化させることなく保存し、転送することが可能となった。特に医療に関しては、病院内の医療機器、及び関連機器を病院内部でＬＡＮ（Local Area Network）で結び、ＬＡＮが比較的近距離でのネットワーク接続であるのに対し、施設間等広域をネットワークで接続するＷＡＮ（Wide Area Network）を使用して病院間を結ぶネットワークシステムが構築されている。
このネットワークシステムにより、デジタル化された医療画像情報を機器間、及び病院間で転送し、活用している。
【０００３】
【発明が解決しようとする課題】
しかし、従来技術においては、映像（画像）、音声、文字等のデータを統合し、情報の有効活用を図るものは、医療分野においては存在しなかった。
【０００４】
本発明の目的は、従来技術における必要な医療情報が個別で統合されていないという問題点を解消するため、画像、音声、文字等のデータを統合し、医療情報を有効活用する医療画像情報伝送方法を提供することである。
【０００５】
【課題を解決するための手段】
請求項１に記載の医療画像情報伝送システムは、医療画像と、該医療画像に関連する音声情報および該医療画像に関連する文字情報のうちの少なくともいずれかの医療情報とを関連付けて記録可能な記録手段と、前記記録手段を有する施設とは異なる第１の外部医療関連施設に設けられ、医療関連施設間で医療情報の伝達を行うために、伝送先となる第２の外部医療関連施設とこの第２の外部医療関連施設に伝送する医療情報とを選択する選択手段と、前記医療関連施設間で情報の伝達が可能な通信網を介して、前記選択手段により選択された前記医療情報を前記選択手段により選択された前記第２の外部医療関連施設に転送する医療情報として前記記録手段に伝送する伝送手段と、前記第２の外部医療関連施設に設けられ、前記通信網を介して、前記記録手段に記録された前記医療情報の中からこの第２の外部医療関連施設が取り込み可能な医療情報として告知された医療情報の中から所望の医療情報を指定して取り込む取り込み手段とを備えたことを特徴とする。
請求項２に記載の医療画像情報伝送方法は、医療関連施設間で医療情報の伝達を行うために、伝送先外部医療関連施設と伝送する医療情報とを選択する選択ステップと、前記医療関連施設間で情報の伝達が可能な通信網を介して、前記選択ステップで選択された前記医療情報を前記伝送先外部医療関連施設に転送する医療情報として伝送する伝送ステップと、前記伝送ステップで伝送されてきた前記医療情報のうち、医療画像と、該医療画像に関連する音声情報および該医療画像に関連する文字情報のうちの少なくともいずれかの医療情報とを前記医療画像に関連付けて前記伝送先外部医療関連施設が閲覧可能な医療情報として記録手段に記録する記録ステップと、前記伝送先外部医療関連施設において、前記通信網を介して、前記記録手段に記録された医療情報の中からこの伝送先外部医療関連施設が閲覧可能な医療情報として前記記録ステップで前記記録手段に記録された前記医療情報を指定して取り込む取り込みステップとを備えたことを特徴とする。
【０００６】
請求項３に記載の医療画像情報伝送方法は、外部医療関連施設よりの医療情報を、医療関連施設間で情報の伝達が可能な通信網を介して取得する取得ステップと、前記取得ステップで取得された医療情報のうち、医療画像と、該医療画像に関連する音声情報および該医療画像に関連する文字情報のうちの少なくともいずれかの医療情報とを関連付けた医療情報として記録手段に記録する記録ステップと、前記記録ステップで前記記録手段に記録された医療データのうち特定の外部医療関連施設が閲覧可能な医療情報を、前記通信網を介し、該特定の外部医療関連施設の要求に応じて告知するとともに、該特定の外部医療関連施設よりの指示に応じて転送する転送ステップとを備えたことを特徴とする。
請求項４に記載の医療画像情報伝送方法は、前記請求項３に記載の医療画像情報伝送方法における転送ステップにおいて、更に、
前記指示に応じて該当する医療情報を前記特定の外部医療関連施設に転送する際に、この医療情報として関連付けられている医療情報が、医療画像であるか、音声情報であるか文字情報であるかを示す情報を伝送し、該特定の外部医療関連施設よりの、前記医療情報のうちのいずれかを特定する指示に応じ、指示された医療情報を前記特定の外部医療関連施設に転送することを特徴とする。
【０００７】
【発明の実施の形態】
以下図面を参照して本発明の医療画像情報伝送方法の１実施の形態を具体的に説明する。
図１は本発明の１実施の形態に係る医療画像情報伝送システム１の構成例を示す。ＷＡＮを形成するこの医療画像情報伝送システム１は、それぞれ異なる病院等の施設に設けられ、それぞれ医療画像情報のファイリング機能を有する画像ファイルシステム２、画像ファイルシステム３、画像ファイルシステム４、画像ファイルシステム５と、異なるネットワーク間の相互接続を行うルータ６、画像再生装置７、ルータ８、サーバ９、ネットワーク１０、画像再生装置１１、パーソナルコンピュータ１２、オンラインシミュレーションの画像処理を行う画像処理装置１３、電子スチルカメラ１１０、マイク１１１、キーボード１１２より構成されている。
【０００８】
画像ファイルシステム２、画像ファイルシステム３、画像ファイルシステム４、画像ファイルシステム５、及びルータ６、ルータ８はそれぞれＷＡＮを形成する公衆回線の１形態のＩＳＤＮ（総合サービスディジタル網）１４に接続されて、施設間で高速に医療情報等の伝送（送受）を行うことができるようにしている。一方のルータ６には、医療画像を再生する機能を備えた画像再生装置７が接続され、他方のルータ８には、このＷＡＮでの情報サービスを提供するサーバ９が接続されている。このサーバ９は画像ファイルシステム２等が設けられた施設とは別の施設に設けられている。
【０００９】
サーバ９は施設間での医療情報等の提供を行えるように、全ての施設にまたがって共有される医療情報等のリソース（資源）を統合して蓄積（記録）する大容量の記録装置を有する。そして、例えばある施設の画像ファイルシステム２の医療情報を、他の任意の施設の画像ファイルシステム３に転送する場合には、その医療情報は一旦、サーバ９に転送されてその記録装置に記録され、そのサーバ９からさらに他の施設の画像ファイルシステム３に医療情報を転送する。
【００１０】
また、全ての施設が統合的に利用すべき医療情報は、どの施設からもサーバ９に転送されて、内部の記録装置にどの施設からも自由に読み出し可能な状態で記録され、全ての施設から自由に読み出してその医療情報を利用することができる。
【００１１】
このサーバ９には内視鏡画像等の医療画像情報（単に画像情報とも記す）がその画像情報に関連する文字情報及び音声情報が関連付けられて記録されるようになっている。このように画像情報、この画像情報に関連する（テキスト情報を含む）文字情報、音声情報を関連付けて記録することにより、画像情報のみの場合よりもより多くの情報を提供、或いは参照できるようにして、ドクタ等の利用者に診断等する場合により有益な診断の資料を提供し、より適切な診断を行える環境を実現している。
【００１２】
例えば、画像情報のインデックス番号（便宜的にＧｎと記す）と共に、そのインデックス番号Ｇｎに関連する文字情報のインデックス番号Ｍｎと、そのインデックス番号Ｇｎに関連する音声情報のインデックス番号Ｏｎとが関連付けられて（例えば、１塊の総合インデックスデータとして）サーバ９の記録装置に記録される。
この場合、画像情報、文字情報、音声情報は全てが同じ記録領域に記録しても良いが、インデックス番号Ｇｎ，Ｍｎ，Ｏｎで相互に関連付けられているので、別の記録領域等に記録するようにしても構わない。
【００１３】
このサーバ９はネットワーク１０が接続され、ネットワーク１０を介してサーバ９はパーソナルコンピュータ１２と画像再生装置１１に接続される。このパーソナルコンピュータ１２には、画像の取り込みに使用される電子スチルカメラ１１０、音声情報の入力に使用されるマイク１１１、文字情報の入力に使用されるキーボード１１２が接続されている。画像再生装置１１には画像処理装置１３が接続されている。
【００１４】
次に図１の１つの画像ファイルシステムとして、例えば画像ファイルシステム２の構成を図２に示す。ある病院内でＬＡＮを形成する画像ファイルシステム２は、画像入力装置２１、画像入力装置２６、画像入力装置２７、ＬＡＮでの情報サービスを提供するサーバ２８、画像再生装置２９、ルータ３３、画像再生装置３４、パーソナルコンピュータ３５、大容量の記録装置としての大容量光ディスク装置３６で構成されている。
【００１５】
医療画像を入力する機能を備えた画像入力装置２１、画像入力装置２６、画像入力装置２７、サーバ２８、画像再生装置２９、画像再生装置３４、パーソナルコンピュータ３５は、ＬＡＮを形成するネットワーク３７で接続されており、その病院内でデータ等の医療情報の入出力等を行うことができる。画像入力装置２１は、内視鏡を用いて内視鏡画像の観測、記録等を行う内視鏡観測装置２２、超音波内視鏡を用いて超音波内視鏡画像の観測、記録等を行う超音波内視鏡観測装置２３を有している。
【００１６】
これら内視鏡観測装置２２及び超音波内視鏡観測装置２３は、画像の圧縮及び伸張を行う画像圧縮伸張装置２４に接続される。この画像圧縮伸張装置２４にはパーソナルコンピュータ２５が接続され、パーソナルコンピュータ２５はネットワーク３７に接続されている。画像入力装置２６、画像入力装置２７は、それぞれ画像入力装置２１とほぼ同等の構成であり、その説明を省略する。
【００１７】
サーバ２８はかなり大容量の記録装置を内蔵し、サーバ９の場合と同様にこのサーバ２８には画像情報がその画像情報に関連する文字情報及び音声情報が関連付けられて記録されるようになっている。
【００１８】
つまり、画像情報のインデックス番号（便宜的にＧｎと記す）と共に、そのインデックス番号Ｇｎに関連する文字情報のインデックス番号Ｍｎと、そのインデックス番号Ｇｎに関連する音声情報のインデックス番号Ｏｎとが関連付けられて（１塊の総合インデックスデータとして）サーバ２８の記録装置に記録されようにしている。
【００１９】
この場合、画像情報、文字情報、音声情報は全てが同じ記録領域に記録しても良いが、総合インデックスデータＧｎ，Ｍｎ，Ｏｎで関連付けられているので、別の記録領域、パーティション等に記録するようにしても構わない。
【００２０】
また、他の画像ファイルシステム３、４、５もこの画像ファイルシステム２とほぼ同等の構成であり、その説明を省略する。
本実施の形態では、ＷＡＮにおける医療情報サービスの提供手段となるサーバ９及び各施設におけるＬＡＮ内に設けられたサーバ２８は画像情報、文字情報、音声情報の各インデックス情報を同じフォーマット、或いは形式で関連付けるようにしている。また、後述する各施設内に設けた医療情報の記録装置（例えば、図５のハードディスク８３）等に記録する場合も同じであり、ＷＡＮにより接続された各施設間にまたがる共有可能な医療情報をサーバ９で統合して、この統合された医療情報等の資源を各施設の端末から利用できるようにすると共に、共通のフォーマット、或いは形式とすることによりフォーマットの変換等を必要としないで、迅速に利用できるようにしている。
【００２１】
画像再生装置２９は、パーソナルコンピュータ３０、画像圧縮伸張装置３１、ＴＶモニタ３２で構成される。パーソナルコンピュータ３０には画像圧縮伸張装置３１が接続されている。また、このパーソナルコンピュータ３０はネットワーク３７が接続され、このネットワーク３７を介してその病院内の他の端末としての各装置と接続され、ＬＡＮを形成している。
【００２２】
画像圧縮伸張装置３１には、さらにＴＶモニタ３２が接続され、伸張した画像をＴＶモニタ３２に表示できるようにしている。パーソナルコンピュータ３０にはルータ３３が接続されており、ルータ３３にはさらにＩＳＤＮ１４が接続されている。
【００２３】
従って、ある病院内のＬＡＮで接続された端末としての例えばパーソナルコンピュータ３０はルータ３３、ＩＳＤＮ１４等を介して他の病院のパーソナルコンピュータ３０ともＷＡＮで接続されており、施設間で内視鏡画像等の画像情報、その画像情報のカルテ等のテキスト情報（或いは文字情報）、さらに音声によるコメントとか説明等音声情報等の医療情報を双方向で送受することができるようにしている。つまり、各施設でＬＡＮで接続された複数の端末の少なくとも１つがＷＡＮと接続され、任意の施設の端末からＷＡＮを介して他の任意の施設に医療情報等を送信（転送）したり、受信（取り込んだり）したりすることができる。
【００２４】
従って、例えばある施設のある端末（例えばパーソナルコンピュータ３０）から他の施設のある端末（例えばパーソナルコンピュータ３０）に医療情報（医療データとも記す）を伝送する場合には、ＩＳＤＮ１４を介してある施設からサーバ９の施設に医療情報を伝送し、サーバ９に伝送された医療情報を内部の記録装置に記録するステップと、このサーバ９に記録された医療情報を他の施設の端末内に伝送するステップとが行われることになる。そして、上述のように医療情報を形成する医療画像は、文字情報、音声情報と関連付けられて記録装置に記録されると共に、他の施設に転送される際にもそれらの情報も転送される。
【００２５】
ネットワーク３７には、画像再生装置３４が接続されている。この画像再生装置３４は画像再生装置２９と同様の構成であり、その説明を省略する。
ネットワーク３７には、さらにパーソナルコンピュータ３５が接続されている。パーソナルコンピュータ３５には大容量光ディスク装置３６が接続されており、画像データ、テキストデータ、音声データ等を記録が出来るようになっている。
【００２６】
図３により、画像入力装置２１の画像圧縮伸張装置２４の内部構成を説明する。画像圧縮伸張装置２４には、内視鏡観測装置２２と超音波内視鏡観測装置２３が接続されている。これら内視鏡観測装置２２、超音波内視鏡観測装置２３より出力される内視鏡画像或いは超音波内視鏡画像に対応する映像信号はケーブル３８を介してスイッチ４０に入力される。
【００２７】
スイッチ４０にはＡ／Ｄ変換を行うＡ／Ｄ変換回路４１が接続される。一方、内視鏡観測装置２２と超音波内視鏡観測装置２３にはケーブル３８を介してＤ／Ａ変換を行うＤ／Ａ変換回路４２が接続されている。
【００２８】
Ｄ／Ａ変換回路４２には１フィールド分の表示情報を記憶するフィールドメモリ４３が接続されている。内視鏡観測装置２２、及び超音波内視鏡観測装置２３には、ケーブル３９を介してそれぞれ通信インタフェースとしての通信Ｉ／Ｆ４９、通信Ｉ／Ｆ５０が接続され、医療画像としての内視鏡画像、超音波内視鏡画像に対する患者カルテ等の文字データ等の通信を行えるようになっている。Ａ／Ｄ変換回路４１、フィールドメモリ４３には、ビデオＲＡＭ或いはＶ−ＲＡＭ４７が接続されている。Ｖ−ＲＡＭ４７にはバス５６が接続されている。
【００２９】
バス５６にはＣＰＵ４４、ＲＡＭ４６、オーバレイ用のＶ−ＲＡＭとなるオーバレイＶ−ＲＡＭ４８、通信Ｉ／Ｆ４９、通信Ｉ／Ｆ５０、高速通信Ｉ／Ｆ５１、ダイレクトメモリアクセスの制御を行うＤＭＡＣ４５、ＦＰＧＡ回路（フィールドプログラマブルゲートアレイ回路）５２、圧縮伸張回路５３、Ｖｐｐ発生回路５４、フラッシュメモリ５５が接続されている。Ｖｐｐ発生回路５４にはフラッシュメモリ５５が接続されている。
【００３０】
Ｖｐｐ発生回路５４から定電圧を供給することによりフラッシュメモリ５５を駆動出来るようになっている。また高速通信Ｉ／Ｆ５１よりケーブル５７を介して外部の装置（ここではパーソナルコンピュータ２５）と高速の通信を行えるようになっている。
【００３１】
例えば１つの画像入力装置２１内のパーソナルコンピュータ２５の内部構成を図４に示す。パーソナルコンピュータ２５はバス３６を有する。バス３６には、ＲＯＭ５８、ＲＡＭ５９、Ｖ−ＲＡＭ６０、ＣＰＵ６１、ネットワークＩ／Ｆ６２、ディスプレイ制御回路６３、ＳＣＳＩＩ／Ｆ（スカジインタフェース）６５、キーボードＩ／Ｆ６７、高速通信Ｉ／Ｆ６９が接続されている。
【００３２】
ネットワークＩ／Ｆ６２にはネットワーク３７が接続されている。ディスプレイ制御回路６３にはディスプレイ６４が接続されており、データを表示できるようになっている。ＳＣＳＩＩ／Ｆ６５にはハードディスク６６が接続されており、医療データ（医療画像データ、音声データ、文字データ）及びそれらを関連付けるインデックスデータ等のデータの記録や駆動プログラムの管理が行われるようになってる。キーボードＩ／Ｆ６７にはキーボード６８が接続されており、文字データの入力が行われるようになっている。高速通信Ｉ／Ｆ６９にはケーブル５７が接続されており、画像圧縮伸張装置２４と医療データの送受信が行われるようになっている。
【００３３】
図５により画像再生装置２９内のパーソナルコンピュータ３０の内部構成を説明する。パーソナルコンピュータ３０はバス８７を有する。バス８７は、ＲＯＭ７１、ＲＡＭ７２、Ｖ−ＲＡＭ７３、ＣＰＵ７４、音声入出力Ｉ／Ｆ７５、ネットワークＩ／Ｆ７８、ネットワークＩ／Ｆ７９、ディスプレイ制御回路８０、ＳＣＳＩＩ／Ｆ８２、キーボードＩ／Ｆ８４、高速通信Ｉ／Ｆ８８が接続されている。
【００３４】
ネットワークＩ／Ｆ７８には、ルータ３３が接続される。ネットワークＩ／Ｆ７９には、ネットワーク３７が接続されている。ディスプレイ制御回路８０には、ディスプレイ８１が接続されており、画像データ及び文字データの表示が行えるようになっている。ＳＣＳＩＩ／Ｆ８２には記録手段としてハードディスク８３が接続されており、医療データ及びそれらを関連付けるインデックスデータ等のデータの記録や駆動プログラムの管理が行われるようになっている。
【００３５】
キーボードＩ／Ｆ８４には、キーボード８５が接続されており、文字データの入力が行えるようになっている。高速通信Ｉ／Ｆ８８にはケーブル８６が接続されており、画像圧縮伸張装置３１と医療データの送受信が行えるようになっている。音声入出力Ｉ／Ｆ７５には、マイク７６及びスピーカ７７が接続されており、音声データの入出力が可能になっている。また、パーソナルコンピュータ１２はパーソナルコンピュータ３０と同様の構成となっている。
【００３６】
図６により画像再生装置２９内の画像圧縮伸張装置３１の内部構成を説明する。画像圧縮伸張装置３１は、バス１０２を有する。バス１０２には、ＣＰＵ９１、ＲＡＭ９２、Ｖ−ＲＡＭ９３、オーバレイＶ−ＲＡＭ９４、圧縮伸長回路９８、ＦＰＧＡ回路９７、ＤＭＡＣ９６、高速通信Ｉ／Ｆ９５が接続されている。高速通信Ｉ／Ｆ９５にはケーブル８６が接続されており、パーソナルコンピュータ３０と医療データの送受信が行われる。
【００３７】
Ｖ−ＲＡＭ９３には、フィールドメモリ９９が接続されている。フィールドメモリ９９及びオーバーレイＶＲＡＭ９４には、Ｄ／Ａ変換回路１００が接続されている。Ｄ／Ａ変換回路１００には、さらにＴＶモニタ３２が接続されており、Ｄ／Ａ変換回路１００を経た出力映像（つまり、内視鏡画像等の医療画像とその画像に関するカルテ等の文字情報）を表示出来るようになっている。
【００３８】
本実施の形態に係る医療画像情報伝送システム１では施設間をＷＡＮで接続し、施設間で医療画像情報、音声情報、文字情報を双方向で伝送可能にすると共に、ＷＡＮで接続された施設のサーバ９内に大容量の記録装置を設け、医療画像情報、音声情報、文字情報を関連付けて記録することにより、各施設から医療情報を広域的に有効活用できる構成にしていることが特徴となっている。以下、本実施の形態の医療画像情報伝送方法の作用を説明する。
【００３９】
まず、図２に示す画像再生装置２９のプログラムを起動させた場合の作用について説明する。この画像再生装置２９内のパーソナルコンピュータ３０に接続されたディスプレイ８１に表示される画面の一例を図７に示す。プログラムの構成は以下の様になっている。病院間の情報の双方向伝送を行うものとして画像伝送、画像再生、電子会議室、電子メール、会員名簿がある。情報の検索として、学会月刊誌検索、医学用語集がある。またその他の情報提供として画像症例集、ＶＴＲ内容紹介、製品情報、Ｑ＆Ａがある。
【００４０】
画像転送時のデータの流れを説明する。まず、画像再生時は、図５に示すパーソナルコンピュータ３０のキーボード８５より再生画像を特定するデータを入力し、再生画像を指示する。すると、パーソナルコンピュータ３０とネットワーク３７で接続されたサーバ２８より圧縮された画像データがＲＡＭ７２に転送される。ＲＡＭ７２に転送された圧縮画像データは高速通信Ｉ／Ｆ８８から画像圧縮伸張装置３１に送られる。図６に示す画像圧縮伸張装置３１では、送られた圧縮画像データを圧縮伸張回路９８に転送し、画像の伸張を行う。
【００４１】
さらにこのデータをＶ−ＲＡＭ９３、フィールドメモリ９９に転送し、ＴＶモニタ３２に表示出来るようになっている。Ｖ−ＲＡＭ９３に送られた画像は、画像転送の指示を受けると、高速通信Ｉ／Ｆ９５からパーソナルコンピュータ３０に送られる。さらにパーソナルコンピュータ３０から、ネットワークＩ／Ｆ７８を介してルータ３３に送られる。さらにルータ３３からＩＳＤＮ１４上に転送され、サーバ９に記録される。この場合、その画像に関連する文字情報、音声情報もサーバ９に記録され、それらはインデックス情報で互いに関連付けられてサーバ９内部の記録装置に記録される。
【００４２】
次に画像を送信する作用について説明する。画像ファイルシステム２、画像ファイルシステム３、画像ファイルシステム４、画像ファイルシステム５はそれぞれ異なる病院を示す。ここでは画像ファイルシステム３から画像ファイルシステム２へ医療情報を伝送する作用について説明する。
【００４３】
画像ファイルシステム３の病院の画像再生装置２９で、図７の表示において画像伝送のアイコンをクリックすると、ディスプレイ８１は図８に示すようにインデックスボタンが表示された画面になる。１ないし２０のインデックスは、ＴＶモニタ３２に表示された医療画像のインデックス画像にそれぞれ対応している。
【００４４】
このインデックス画像の中から、他の病院へ伝送する画像を選択し、対応するインデックスボタンをクリックする。そして、画像伝送のボタンをクリックすることにより、画像伝送の処理が行われ、サーバ９に転送される。この時、画像情報に、ハードディスク８３等に記録されたその画像の患者に関する紹介状等のテキストデータ（文字データ）を添付することが出来る。
【００４５】
また同様にマイク７６からその画像に関する音声データを入力し、画像情報に添付することができる。これらの画像情報、テキストデータ、音声データは、サーバ９の記録装置に記録され、それらはインデックス情報で関連付けられて記録される。この場合、ある画像情報に関連する音声データがない場合には、音声データなしの情報が付加される。インデックス情報に音声情報のインデックスを付加しないことにより、音声データなしとしても良い。そして、選択された他の病院の端末がサーバ９にアクセスした場合には、その病院が閲覧できる資源となる。
【００４６】
次に着信した画像を再生する作用について説明する。画像ファイルシステム２の病院で、図７の表示において画像伝送のアイコンをクリックするとディスプレイ８１は図９のような画面になる。
【００４７】
図９において一つひとつのアイコンは、それぞれ他の病院から医療情報が着信したことを示す。それぞれのアイコンには、着信した年月日及び転送元の病院名が示されている。これらは医療情報の検索にも利用できる。
【００４８】
アイコン中の画像のマークは画像情報を着信したことを示す。文書のマークは紹介状等のテキストデータを着信したことを示す。マイクのマークは音声情報が着信したことを示す。一つのアイコンをクリックして選択すると、ディスプレイ８１には図１０に示すように選択された画像情報の１つが表示される。
【００４９】
ここで、紹介状のボタンをクリックすると図１１に示すように、表示された画像の患者の紹介状が表示される。この紹介状は、ある病院の患者を他の病院に紹介する場合に、その患者の情報を記入したものである。また音声のボタンをクリックすると、その画像情報に関する音声データがスピーカ７７から再生される。
ここで必要に応じ、取り込みのボタンをクリックすることにより、サーバ９に記録された画像情報、テキストデータ、音声情報は、着信先の病院内のハードディスク８３にダウンロードされる。これは医療情報を検索する場合にも利用でき、サーバ９に記録された画像情報、テキストデータ、音声情報は検索を行っている病院に転送されるようにダウンロードすることもできる。
【００５０】
また、図９における一覧表のボタンをクリックすることにより、図１２に示すようにサーバ９或いは（ダウンロードした場合には）ハードディスク８３に記録された情報を一覧表示することができ、必要に応じ必要な情報をサーバ９及びハードディスク８３から再生することが出来る。
【００５１】
次に電子会議室の作用について説明する。図７において、電子会議室のボタンをクリックすると、ディスプレイ８１は図１３のような表示になる。ここで、電子会議室には、項目毎に複数の会議室が用意されており、利用者は必要に応じ会議室を特定し、選択する。ここで一つの会議室を選択し、該当する会議室のボタンをクリックすると、ディスプレイ８１は図１４のような表示になる。
【００５２】
ここでまず、議題提案の作用について説明する。議題提案のボタンをクリックすると、ディスプレイ８１は図１５のような表示になる。ここで議題提案者は、図１５のテキストデータ入力画面において議題内容をテキストデータとして入力する。
【００５３】
また必要に応じ、資料を付けるボタンをクリックすることにより、サーバ２８に記録された議題に関連する、圧縮された画像データ等を添付することができる。またマイク７６から議題に関連する情報を音声データとして添付することができる。これらのテキストデータ、画像データ、音声データは、提案実行ボタンをクリックすると一括してサーバ９に記録される。
【００５４】
次に、会議録参照の作用について説明する。利用者は、図１４に示された議案の中から一つの議案を選択し、会議録参照のボタンをクリックする。するとディスプレイ８１に議題内容が表示される（サーバ９から利用者の端末側にディスプレイ８１に表示される議題内容等のデータが転送されて、ディスプレイ８１に表示される）。ここで画像データが添付されている場合、画像データを示すボタンが表示される。
【００５５】
このボタンをクリックすることにより、図１６に示すように添付された画像を参照することができる。また音声データが添付されている場合、画像の参照と同様の方法でスピーカ７７から音声を再生することが出来る。換言すると、会議録を検索し、検索された議題内容、画像、音声データからなる医療情報を（検索を行っている施設に転送して）表示、再生等することができる。この場合には、主に文字情報を検索した場合に対応し、その文字情報に関連する画像データ、音声データが必要に応じて再生される。
【００５６】
次に議題に対する発言の作用について説明する。図１６において発言のボタンをクリックすると、ディスプレイ８１は図１５と同様の表示になる。ここで発言者は、図１５のテキストデータ入力画面において発言内容をテキストデータとして入力する。
【００５７】
また必要に応じ、資料をつけるボタンをクリックすることにより、サーバ２８に記録された発言に関連する、圧縮された画像データ等を添付することができる。またマイク７６から発言に関連する情報を音声データとして添付することができる。これらのテキストデータ、画像データ、音声データは、一括してサーバ９に記録される。換言すると、サーバ９の記録装置から検索を行い、その検索を行った医療情報に対し、さらに新たな医療情報をサーバ９の記録装置に転送し、先の検索を行った医療情報に関連付けて記録するとも言える。
【００５８】
次に発言内容参照の作用について説明する。使用者はまず図１４に示す状態から議題を選択する。次に選択した議題に対する発言のリストの中から参照したい発言を選択する。発言を選択すると、ディスプレイ８１に、その発言内容のテキストデータが表示される。
【００５９】
このテキストデータに画像データ、音声データが添付されている場合は、会議録参照の作用と同様に画像データ、音声データを参照することができる。
【００６０】
次に電子メールの作用について説明する。画像ファイルシステム２から画像ファイルシステム３へ電子メールを送る作用を一例として、その作用を説明する。画像ファイシステム２のキーボード８５からデータを入力する。このデータは、ＩＳＤＮ１４を介し、サーバ９に記録される。
【００６１】
画像ファイルシステム３でメールを参照する場合、まず、サーバ９に記録された画像ファイルシステム２から着信したデータを読みとる。ここで必要に応じ、サーバ９に記録されたデータを、画像ファイルシステム３のハードディスク８３へダウンロードすることができる。
【００６２】
次に会員名簿の作用について説明する。この会員名簿は、例えばネットワークに接続された病院の関係者等が対象となる。この会員名簿のデータはサーバ９に記録されている。まず会員名簿を入力する作用を説明する。
【００６３】
会員はパーソナルコンピュータ１２のキーボード１１２から在籍する病院のデータ、一例として病院名、病院の所在地や規模などを、テキストデータとして入力する。また自分のデータ、一例として担当する診療科目や病院での役職、研究テーマ等の情報を同様にテキストデータとして入力する。
【００６４】
また自分に関する画像データ、一例として電子スチルカメラ１１０から入力した自分の顔写真等のデータを入力する。また、自分に関する音声データ、一例としてマイク１１１から入力したデータなどを入力する。
【００６５】
次に名簿の検索方法の作用について説明する。名簿の検索方法として、所属する病院の所在地から検索する地域別検索、病院での役職などの個人データから検索する人物検索、所属する病院の種類、例えば国立病院や大学病院等の分類から検索する在籍先検索等があり、これらの検索方法を必要に応じて組み合わせて、入力された会員のデータをキーワードとして検索することができる。地域別検索の画面の一例を図１７に示す。
【００６６】
これらの検索方法を組み合わせ、対象となる会員を絞り込むと、その条件に合った会員のリストがディスプレイ８１に表示される。利用者は、対象とする会員を選択すると、ディスプレイ８１は、図１８に示す様な表示になる。この表示には、在籍先等のテキストデータの他、顔写真などの画像データ、及び自己紹介等の音声データを再生することができる。
【００６７】
次に学会月刊誌入力及び検索の作用について説明する。まず、データの入力方法について説明する。まず学会月刊誌の誌面を、パーソナルコンピュータ１２に接続された図示しないスキャナで取り込む。取り込まれた画像（文字による画像）をパーソナルコンピュータ１２にプログラムされた文字認識のプログラムによりテキストデータに変換する。変換されたテキストデータをサーバ９に記録する。
【００６８】
また、学会月刊誌はＣＤ−ＲＯＭ等の媒体にテキストデータとして入力された状態で提供されている場合が多い。この場合、パーソナルコンピュータ１２のＳＣＳＩＩ／Ｆ８２に接続された図示しないＣＤ−ＲＯＭドライブにこのＣＤ−ＲＯＭを挿入し、テキストデータを取り込む。取り込んだテキストデータをサーバ９に記録する。
【００６９】
次に学会月刊誌を検索する作用について説明する。図７において、学会月刊誌検索のボタンをクリックすると、ディスプレイ８１は図１９に示す様な表示となる。ここで、検索のキーワードとなる単語を検索単語の欄に入力し検索ボタンをクリックすると、図２０に示す様に、キーワードが該当する論文の一覧が表示される。
【００７０】
ここで利用者は、必要に応じリストの中から一つの論文を選択する。すると、ディスプレイ８１は図２１に示す様な表示となり、先に選択したキーワードは反転表示等により表示される。
【００７１】
次に医学用語集の作用について説明する。まず、データの入力方法について説明する。まず医学用語集の誌面を、パーソナルコンピュータ１２に接続された図示しないスキャナで取り込む。取り込まれた画像をパーソナルコンピュータ１２にプログラムされた文字認識のプログラムによりテキストデータに変換する。変換されたテキストデータをサーバ９に記録する。
【００７２】
次に医学用語を検索する作用を説明する。図７において、医学用語集のボタンをクリックすると、ディスプレイ８１は図２２に示す様な表示となる。ここで、検索の対象となる用語のキーワードを検索キーワードの欄に入力し、検索実行ボタンをクリックすると、ディスプレイ８１は図２３の様な表示になる。
【００７３】
選択したキーワードは、反転表示等により表示される。ここで、図２３のように示された単語の中から必要な単語をピックアップし、マウス操作等により選択すると、同じパーソナルコンピュータ３０の上で起動されているワードプロセッサ等のアプリケーションソフトへその単語を転送することができる。
【００７４】
次に画像症例集の作用について説明する。図７において、ある施設の端末から画像症例集のボタンをクリックすると、ディスプレイ８１は図２４の様な表示になる。ここで、サーバ９に画像症例集用に記録された症例画像の一覧が表示される。
【００７５】
まず、症例画像の登録の作用について説明する。登録者は図２４に示す状態の画面において画像登録のボタンをクリックする。ここで、画像伝送において画像を送信する作用と同様の作用により、医療画像の原画像と、その原画像に画像処理を施した処理画像をサーバ９に転送する。この時も画像伝送の作用と同様に、必要に応じてテキストデータと音声データ、例えば画像処理に関する情報を添付することができる。
【００７６】
次に症例画像の画像表示の作用について説明する。参照しようとするデータを選択し画像表示のボタンをクリックすると、ディスプレイ８１は図２５の様な表示になり、サーバ９の記録装置に記録された症例画像を原画像と画像処理をした処理画像を並べて表示することができる。
【００７７】
ここで、症例画像に音声データが添付されている場合、図２５に示す状態の画面において、音声のボタンをクリックすることにより、音声をスピーカ７７から再生することができる。
【００７８】
次に症例画像のオンラインシミュレーションの作用について説明する。図２４において、症例画像を選択し、オンラインシミュレーションのボタンをクリックすると、ディスプレイ８１には図２６に示すように症例画像と、ＩＨＢなどの画像処理のパラメータが表示される。
【００７９】
ここで画像処理のパラメータを設定すると、サーバ９に記録された症例画像は、画像処理装置１３により適切な処理が行われる。処理された症例画像はＩＳＤＮ１４を通して、図２６に示すようにディスプレイ８１に表示される。
【００８０】
このようにサーバ９の設けられた施設内にオンラインシミュレーション用の画像処理装置１３を設けることにより、サーバ９の記録装置に記録された症例画像に対して、所定の画像処理を施し、その症例画像と関連付けて画像処理された処理画像をアクセスした施設の端末に送信できるようにして、１つの画像処理装置１３を各施設で共有して利用できるようにしている。
【００８１】
また、画像処理の程度等のパラメータを指定できるようにして、このパラメータの情報をサーバ９側に転送して、そのパラメータで指定される任意の画像処理を行えるようにして、使用者の希望する任意の画像処理を可能にしている。
【００８２】
この場合、サーバ９の記録装置に記録された症例画像に限らず、アクセスした施設から画像をサーバ９の記録装置に転送し、その画像に対して画像処理装置１３でオンラインシミュレーションを施し、その処理画像をアクセスした施設に転送することもできる。
【００８３】
次にＶＴＲ内容紹介の作用について説明する。まず、ＶＴＲを登録する作用について説明する。登録者はパーソナルコンピュータ１２のＳＣＳＩＩ／Ｆ８２に図示しないＣＤーＲＯＭドライブ、或いは図示しない光磁気ドライブ（ＭＯドライブと略記）等の装置を接続する。
【００８４】
これらの装置に学会等で発表されたＶＴＲの内容が記録されているＣＤ−ＲＯＭ或いはＭＯ等の媒体を挿入し、映像情報及び音声情報を取り込む。また、これらのＶＴＲの内容を説明する内容の文字情報をキーボード１１２から入力する。これらの映像情報、音声情報、文字情報をサーバ９に転送する。
【００８５】
次にＶＴＲを検索する作用について説明する。図７において、ＶＴＲ内容紹介のボタンをクリックすると、ディスプレイ８１は図２７に示す様な画面になり、サーバ９に記録されたＶＴＲの一覧が表示される。
【００８６】
ここで、一覧の中から一つのＶＴＲを選択すると、図２７に示す様に、選択したＶＴＲが動画像として再生される。また同時に、音声データが添付されている場合は、音声データがスピーカ７７より再生される。
【００８７】
次に製品情報の作用について説明する。まず、製品情報を登録する作用について説明する。登録者は製品カタログ等にある製品の画像をパーソナルコンピュータ１２に接続された図示しないスキャナで取り込む。或いは製品の画像を電子スチルカメラ１１０で取り込む。
【００８８】
また、製品に関する動画の映像情報及び音声情報を、ＶＴＲ内容紹介のＶＴＲの登録の作用と同様の作用により取り込む。また、製品を説明する内容の文字情報をキーボード１１２から入力する。これらの画像情報、音声情報、文字情報をサーバ９に転送する。
【００８９】
次に製品情報を参照する作用について説明する。図７において製品情報のボタンをクリックすると、ディスプレイ８１は、図２８に示す様な表示となる。一つのボタンは一つの製品に対応している。ここで、参照したい製品のボタンをクリックすると、ディスプレイ８１は図２９に示す様な表示となる。
【００９０】
図２９に示す様に、製品情報は製品の説明をするテキストデータ、及び製品の外観や使用例を示す画像データとして表示される。また、映像紹介ボタンをクリックすることにより、製品に関連する動画像を再生することができる。例えば、内視鏡製品、特にスコープの製品情報を参照した場合、そのスコープに関する症例画像を動画として再生することが出来る。また音声データが添付されている場合は、音声データをスピーカ７７より再生することができる。
【００９１】
つまり、サーバ９の記録装置には医療器具を撮像した医療器具画像が、この医療器具画像に関連する医療画像、音声、文字情報からなる製品情報として記録されており、任意の施設から検索を行うと、検索に対応した医療画像、音声、文字情報が医療器具画像と関連付けられて検索した施設に転送され、これらが組み合わされて表示、再生することができる。
【００９２】
製品情報の一例として、内視鏡の処置具の情報を図３０に示す。図３０に示す様に、内視鏡処置具の形状、及び対応するスコープから処置具の型番がマトリック状に表示されている。このマトリクスから処置具の形状及び使用するスコープからその処置具の型番を特定することができる。
【００９３】
また、サーバ９の記録装置には複数の医療器具の画像、音声、文字情報を関連付けて記録し、かつ組み合わせ可能な医療器具同士の組み合わせ情報を記録し、ＷＡＮに接続された任意の施設の端末から上記記録装置に記録された医療器具の画像、音声、文字情報を上記医療器具同士の組み合わせに基づき検索し、検索を行った施設に対して画像、音声、文字情報を転送し、転送された施設でその画像、音声、文字情報を再生できるようにしている。
【００９４】
また、処置具の型番のボタンをクリックすることによって、その処置具の詳細な情報を表示することができる。処置具の詳細な製品情報の一例を図３１に示す。
【００９５】
次にＱ＆Ａの作用について説明する。まず質問者が質問する作用から説明する。質問者は、画像ファイルシステムのキーボード８５から質問内容を入力する。この時、質問内容に関連する音声データをマイク７６より入力することができる。また、質問内容に関連する画像データをハードディスク８３等から読み込み、添付することもできる。質問内容は、サーバ９に記録される。
【００９６】
次に、回答者が、質問内容に対して回答する作用について説明する。回答者は、サーバ９に記録された質問内容をパーソナルコンピュータ１２より読み取る。そして、パーソナルコンピュータ１２あるいは画像再生装置１１から参照する。ここで回答者は、質問に対する回答を、画像再生装置１１のキーボード８５からテキストデータの形で入力する。
【００９７】
また、マイク１１１から回答に関連する音声データを入力することができる。また、回答に関連する画像データを製品情報で製品の画像を取り込む作用と同様の作用により取り込み、添付することもできる。回答内容はサーバ９に記録される。この質問内容及び回答内容は、画像ファイルシステムのディスプレイ８１に表示される。また、必要により、音声データをスピーカ７７より再生することができる。
【００９８】
次に、質問者が回答内容を参照する作用について説明する。質問者は質問内容のリストから自分の質問を選択する。すると回答欄に、その質問に対する回答が表示される。このとき、画像データや音声データが添付されている場合、それらのデータを参照することが出来る。質問、及び回答の一例を図３２に示す。
【００９９】
これらの質問、及び回答はサーバ９に記録されているため、他の人が発信した質問、およびその回答を見ることが出来る。
【０１００】
以上の１実施の形態の医療画像情報伝送方法は、まとめると以下の効果がある。
ａ．画像伝送の効果
医療画像情報に、関連する文字情報及び音声情報を添付し、同時に伝送することにより、画像情報だけでは伝達出来ない情報を伝えることができる。これにより診断能の向上を図ることができる。
【０１０１】
ｂ．画像再生の効果
従来のように、医療画像情報を単独で記録し、活用するのみでなく、その医療画像情報に関連する音声情報、文字情報を添付することにより、受け取る側で得られる情報量は増加する。
【０１０２】
ｃ．電子会議室の効果
議題提案、及び発言の文字情報に加え、それに関連する医療画像情報及び音声情報を添付し広域ネットワークのサーバに記録することにより、多くの利用者による有効な情報の共有化が図れる。また、議題を項目別に分類することにより、効果的に情報を得ることができる。
【０１０３】
ｄ．会員名簿の効果
複数の検索方法の組み合わせによる検索、及び文字情報に画像情報、音声情報を添付することにより、自分が知りたい医療分野において特化した人物を、効果的に検索することができる。
【０１０４】
ｅ．学会月刊誌検索の効果
フリーキーワード検索を用いることにより、大量の情報の中から必要な情報を素早く取り寄せることができる。
【０１０５】
ｆ．医学用語集の効果
フリーキーワード検索を用いることにより、大量の情報の中から自分の知りたい情報を素早く入手することができる。またフリーキーワード検索を用いることにより、例えばキーワードを日本語にしたり、英語にしたり出来るように、一つの用語に対して様々な方向からアプローチすることが出来る。それにより得られた情報を他のアプリケーションで活用することもできる。
【０１０６】
ｇ．画像症例集の効果
医療画像の原画像と、処理された画像の例を同時に見ることができる。またユーザーが画像処理装置等を持っていない場合でも、画像処理の擬似体験をすることができる。
【０１０７】
ｈ．ＶＴＲ内容紹介の効果
大量のＶＴＲ情報の中から、必要なＶＴＲ情報を選択し、参照することができる。また、動画像に音声データを添付して記録することにより、得られる情報量が増大する。
【０１０８】
ｉ．製品情報の効果
カタログ等の紹介では得られないような、動画像や音声データをそれぞれの製品に関連づけて添付することにより、ユーザの得られる情報量が増大する。また、オンラインで情報提供することにより、常に最新の情報を入手することができる。また、一つの製品が、多種多様に分類されている場合でも、必要な情報を素早く特定し、入手することができる。
【０１０９】
ｊ．Ｑ＆Ａの効果
従来では、学会等に参加しなければ得られなかったような情報でも、多数の人間が同じ情報を共有化することができる。これにより病院にいながらにして、自分が抱いている疑問と同様な疑問や、その他様々な質問、及びその質問に対する回答を得ることができる。また、オンラインであるため、質問に対する内容を素早く確認することができる。また、多数の者が同じ情報を共有化することができる。
【０１１０】
なお、上述した実施の形態においては、広域ネットワークのサーバ９を介して各施設間は医療情報を送受などしているが、施設間でサーバ９を介することなく、医療情報の転送等を行うことも選択利用できるようにしても良い（この場合には各施設の例えばサーバ２８の記録装置を医療情報の記録手段として利用する）。また、上述した各機能を組み合わせる等した場合も本発明に属する。
【０１１１】
［付記］
１．施設間をＷＡＮで接続することにより、施設間で医療画像、音声、文字情報を伝送するステップと、
ＷＡＮに接続される施設内に記録装置を設け、医療画像、音声、文字情報を関連付けて記録するステップと、
を有することを特徴とする医療画像情報伝送方法。
【０１１２】
２．施設内の端末をＬＡＮで接続し、ＬＡＮをＷＡＮで接続することを特徴とする付記１記載の医療画像情報伝送方法。
【０１１３】
３．施設内の端末をＷＡＮに接続することを特徴とする付記１記載の医療画像情報伝送方法。
【０１１４】
４．任意の施設の端末からＷＡＮを介して医療画像を他施設に転送するステップと、
転送先施設内の端末で転送された画像に所定の画像処理を施すステップと、
上記医療画像とその処理画像を関連付けて処理画像を送信元の施設に送信するステップと、
を有することを特徴とする付記１記載の医療画像情報伝送方法。
【０１１５】
５．任意の施設の端末からＷＡＮを介して医療画像を他施設に転送するステップと、
上記端末よりＷＡＮを介して医療画像に施す画像処理を指定するパラメータを転送するステップと、
転送先施設内の端末で転送された画像に上記パラメータで指定される画像処理を施すステップと、
を有することを特徴とする付記４記載の医療画像情報伝送方法。
【０１１６】
６．施設間をＷＡＮで接続することにより、施設間で医療画像、音声、文字情報を伝送するステップと、
ＷＡＮに接続される施設内に記録装置を設け、医療画像、音声、文字情報を関連付けて記録するステップと、
ＷＡＮに接続される任意の施設の端末より上記記録装置に記録された医療画像、音声、文字情報を検索し、検索を行った施設に対して医療画像、音声、文字情報を転送するステップと、
転送された医療画像、音声、文字情報を再生するステップと
新たな医療画像、音声、文字情報を上記検索を行った施設より上記記録装置を有する施設へ転送するステップと、
転送された医療画像、音声、文字情報を先に検索された医療画像、音声、テキスト情報と関連づけて記録するステップと、
を有することを特徴とする医療画像情報伝送方法。
【０１１７】
７．施設間をＷＡＮで接続することにより、施設間で医療画像、音声、文字情報を伝送するステップと、
ＷＡＮに接続される施設内に記録装置を設け、文字情報を記録するステップと、
ＷＡＮに接続される任意の施設の端末より上記記録装置に記録された文字情報を検索し、検索を行った施設に対して文字情報を転送するステップと、
転送された文字情報を再生するステップと
新たな医療画像、音声、文字情報を上記検索を行った施設より上記記録装置を有する施設へ転送するステップと、
転送された医療画像、音声、文字情報を先に検索された文字情報と関連づけて記録するステップと、
を有することを特徴とする医療画像情報伝送方法。
【０１１８】
８．医療画像は動画像であることを特徴とする付記１記載の医療画像情報伝送方法。
【０１１９】
９．施設間をＷＡＮで接続することにより、施設間で医療画像、音声、文字情報を伝送するステップと、
ＷＡＮに接続される施設内に記録装置を設け、医療画像、音声、文字情報と医療器具を撮像した画像を関連付けて記録するステップと、
ＷＡＮに接続される任意の施設の端末より上記記録装置に記録された医療画像、音声、文字情報と画像医療器具を撮像した画像を検索し、検索を行った施設に対して医療画像、音声、文字情報と画像医療器具を撮像した画像を転送するステップと、
転送された医療画像、音声、文字情報と医療器具を撮像した画像を組み合わせ再生するステップと、
を有することを特徴とする医療画像情報伝送方法。
【０１２０】
１０．医療画像は上記医療器具を使用し撮像された動画像であることを特徴とする付記９記載の医療画像情報伝送方法。
【０１２１】
１１．ＷＡＮに接続される施設内に記録装置を設け、複数の医療器具の画像、音声、文字情報を関連づけて記録するステップと、
医療器具同士の組み合わせを上記記録装置に記録するステップと
ＷＡＮに接続される任意の施設の端末より上記記録装置に記録された医療機器の画像、音声、文字情報を上記医療器具同士の組み合わせに基づき検索し、検索を行った施設に対して画像、音声、文字情報を転送するステップと、
転送された画像、音声、文字情報を組み合わせ再生するステップと
を有することを特徴とする付記１記載の医療画像情報伝送方法。
【０１２２】
【発明の効果】
以上説明したように本発明によれば、診断する上で重要な役割を果たす医療画像情報と、これに密接に関連したカルテ情報等の文字情報、さらに音声による説明等の音声情報を統合して情報の提供及び共有ができるようになるので、ユーザであるドクタにとって診断等を行う上で非常に有効な情報が得られるようになる。
【図面の簡単な説明】
【図１】本発明における画像伝送システムの構成を示すブロック図。
【図２】画像ファイルシステムの構成を示すブロック図。
【図３】画像入力装置内の画像圧縮伸長装置の構成を示すブロック図。
【図４】画像入力装置内のパーソナルコンピュータの内部構成を示すブロック図。
【図５】画像再生装置内のパーソナルコンピュータの内部構成を示すブロック図。
【図６】画像圧縮伸長装置の内部構成を示すブロック図。
【図７】パーソナルコンピュータのディスプレイに表示される画面を示す図。
【図８】図７において、画像伝送のアイコンをクリックした場合にディスプレイに表示される画面を示す図。
【図９】図７において、画像再生のアイコンをクリックした場合にディスプレイに表示される画面を示す図。
【図１０】図９において１つのアイコンをクリックした場合に表示される画像情報を示す図。
【図１１】図１０において、紹介状のボタンをクリックした場合に表示される内容を示す図。
【図１２】図９において一覧表のボタンをクリックした場合に画像伝送された情報のリストが表示されることを示す図。
【図１３】図７において電子会議室のアイコンをクリックした場合にディスプレイに表示される図。
【図１４】図１３において内科の会議室のボタンをクリックした場合にディスプレイに表示される図。
【図１５】図１４において議題提案のボタンをクリックした場合にディスプレイに表示される図。
【図１６】図１４において１つの議題を指定して会議録参照のボタンをクリックした場合にディスプレイに表示される図。
【図１７】名簿の検索方法の１つである地域別検索の画面を示す図。
【図１８】対象となる会員を検索した場合にディスプレイに表示される内容を示す図。
【図１９】図７において学会月刊誌検索のアイコンをクリックした場合にディスプレイに表示される内容を示す図。
【図２０】図１９において、キーワードとなる単語を入力して検索ボタンをクリックした場合にその単語に該当する論文のリストが表示されることを示す図。
【図２１】図２０において１つの論文を選択した場合にディスプレイに表示される内容を示す図。
【図２２】図７において、医学用語集のアイコンをクリックした場合にディスプレイに表示される内容を示す図。
【図２３】図２２において、検索対象となる用語のキーワードを入力し、検索実行ボタンをクリックした場合にディスプレイに表示される内容を示す図。
【図２４】図７において、画像症例集のアイコンをクリックした場合にディスプレイに症例のリストが表示されることを示す図。
【図２５】図２４において、１つの症例を選択して画像表示のボタンをクリックした場合にディスプレイに表示される症例画像を示す図。
【図２６】図２４において、症例画像を選択し、オンラインシミュレーションのボタンをクリックした場合にディスプレイに表示される内容を示す図。
【図２７】図７において、ＶＴＲ内容紹介のアイコンをクリックした場合にディスプレイに表示される内容を示す図。
【図２８】図７において、製品情報のアイコンをクリックした場合にディスプレイに製品の一覧が表示されることを示す図。
【図２９】図２７において、１つの製品のアイコンをクリックした場合にディスプレイに表示される内容を示す図。
【図３０】図２７において、処置具のアイコンをクリックした場合にディスプレイに表示される内容を示す図。
【図３１】図３０において、処置具の型番のボタンをクリックした場合にディスプレイに表示される内容を示す図。
【図３２】図７において、Ｑ＆Ａのアイコンをクリックして、質問及び回答した場合の１例を示す図。
【符号の説明】
１…医療画像情報伝送システム
２、３、４、５…画像ファイルシステム
６、８、３３…ルータ
７、１１、２９、３４…画像再生装置
９、２８…サーバ
１０、３７…ネットワーク
１２、２５、３０、３５…パーソナルコンピュータ
１３…画像処理装置
１４…ＩＳＤＮ
２１、２６、２７…画像入力装置
２２…内視鏡観測装置
２３…超音波内視鏡観測装置
２４、３１…画像圧縮伸長装置
３２…ＴＶモニタ
３６…大容量光ディスク装置
３７…ネットワーク
７６…マイク
７７…スピーカ
８１…ディスプレイ
８３…ハードディスク
８５…キーボード
【図１】
0003678492.tif 000002
【図２】
0003678492.tif 000003
【図３】
0003678492.tif 000004
【図４】
0003678492.tif 000005
【図５】
0003678492.tif 000006
【図６】
0003678492.tif 000007
【図７】
0003678492.tif 000008
【図８】
0003678492.tif 000009
【図９】
0003678492.tif 000010
【図１０】
0003678492.tif 000011
【図１１】
0003678492.tif 000012
【図１２】
0003678492.tif 000013
【図１３】
0003678492.tif 000014
【図１４】
0003678492.tif 000015
【図１５】
0003678492.tif 000016
【図１６】
0003678492.tif 000017
【図１７】
0003678492.tif 000018
【図１８】
0003678492.tif 000019
【図１９】
0003678492.tif 000020
【図２０】
0003678492.tif 000021
【図２１】
0003678492.tif 000022
【図２２】
0003678492.tif 000023
【図２３】
0003678492.tif 000024
【図２４】
0003678492.tif 000025
【図２５】
0003678492.tif 000026
【図２６】
0003678492.tif 000027
【図２７】
0003678492.tif 000028
【図２８】
0003678492.tif 000029
【図２９】
0003678492.tif 000030
【図３０】
0003678492.tif 000031
【図３１】
0003678492.tif 000032
【図３２】
0003678492.tif 000033